(57)【要約】【課題】廃棄時において、液透過性シートの体液が付着した部分に触れることなく、簡便に折り畳むことができる吸収性物品を得る。【解決手段】液不透過性シート２と、該液不透過性シート２の一面側に配設された液透過性シート３と、これらの液不透過性シート２と液透過性シート３との間に配設された、一方向に長い吸収体４とを備え、前記吸収体４の幅方向の両側に沿って該吸収体４の長さ方向にそれぞれ延びる一対の筒状部５，６と、これらの一対の筒状部５，６内にそれぞれ挿通された、該筒状部５，６の長さ方向に延びる一対の紐状部材７，８とを有し、該一対の紐状部材７，８は、両端部が、挿通された前記筒状部５，６の長さ方向の両端部にそれぞれ固定されていると共に、これらの各紐状部材７，８における両端部以外の部分は、該筒状部５，６の周面に設けられた導出孔２１，２２を通して筒状部５，６の外部に引き出し自在である。【選択図】図１
2014233603.tif 000002
【特許請求の範囲】
【請求項１】
液不透過性シートと、該液不透過性シートの一面側に配設された液透過性シートと、これらの液不透過性シートと液透過性シートとの間に配設された、一方向に長い吸収体とを備えた吸収性物品であって、
前記吸収体の幅方向の両側に沿って該吸収体の長さ方向にそれぞれ延びる一対の筒状部と、これらの一対の筒状部内にそれぞれ挿通された、該筒状部の長さ方向に延びる一対の紐状部材とを有し、
前記一対の紐状部材は、両端部が、挿通された前記筒状部の長さ方向の両端部にそれぞれ固定されていると共に、これらの各紐状部材における両端部以外の部分は、該筒状部の周面に設けられた導出孔を通して筒状部の外部に引き出し自在である、吸収性物品。
【請求項２】
前記筒状部は、前記液不透過性シートにおける前記液透過性シートが配設された面側に配設されている、請求項１に記載の吸収性物品。
【請求項３】
前記導出孔は、前記液不透過性シートにおける前記液透過性シートが配設された面とは反対側の面側に配設されている、請求項１又は請求項２に記載の吸収性物品。
【請求項４】
前記吸収性物品は、幅方向の両側部に、各側部からそれぞれ外方に延出して使用時に衣類に固定されるウイング部を備えていて、前記導出孔は、少なくとも一部が、前記筒状部における該ウイング部の基端側に沿う範囲内に形成されている、請求項１〜請求項３のいずれか１項に記載の吸収性物品。
【請求項５】
前記導出孔は、長さ方向の長さが、前記ウイング部の基端側における前記吸収体の長さ方向に沿う方向の長さ以上に形成されている、請求項４に記載の吸収性物品。
【請求項６】
前記導出孔は、長さ方向の長さが、前記ウイング部の基端側における前記吸収体の長さ方向に沿う方向の長さ未満に形成されている、請求項４に記載の吸収性物品。
【請求項７】
前記吸収体は、前方領域と中央領域と後方領域とが長さ方向に連続して設けられていて、これらの領域のうちの中央領域が他の領域よりも曲げ剛性が高く形成されている、請求項１〜請求項６のいずれか１項に記載の吸収性物品。
【請求項８】
前記吸収体は、該吸収体の長さ方向への折れ曲がりを誘引する、幅方向に延びる折曲誘引部を有している、請求項１〜請求項７のいずれか１項に記載の吸収性物品。
【発明の詳細な説明】
【技術分野】
【０００１】
本発明は、生理用ナプキンやおりものシート、使い捨ての紙オムツ、失禁パッド等の吸収性物品に関するものであり、さらに詳しくは、廃棄時等に簡単に折り畳むことができる吸収性物品に関するものである。
【０００２】
例えば経血などの体液を吸収する生理用のナプキン等の吸収性物品は、使用者の肌側に位置する液透過性シート（いわゆるトップシート）と、下着側に位置する液不透過性シート（いわゆるバックシート）と、これらの液透過性シートと液不透過性シートとの間に設けられた吸収体とを備えているのが一般的である。
このような吸収性物品は、使用後においては、液透過性シートに付着した体液が他の部分に付着することを防止するため、衛生面に配慮して、液透過性シート側の面が露出しない状態に小さく折り畳んで廃棄するのが通常である。
【０００３】
廃棄する吸収性物品の折り畳みに関しては、例えば特許文献１に記載されているように、液透過性シートと液不透過性シートとの間に、一端側が吸収体に固定されると共に他端側が液不透過性シートの外部に導出された帯状のストリップが設けられた構成のものが知られている。
この特許文献１の吸収性物品は、廃棄時に前記ストリップの導出部分を引っ張ることにより、吸収体が液透過性シート及び液不透過性シートと共に蛇腹状に折り曲げられ、これにより吸収性物品全体を小さく折り畳むことが可能となっている。
【０００４】
しかしながら、前記特許文献１に記載のものの場合、前記ストリップを引っ張る際に、一方の手でナプキンを保持する必要があるため、液透過性シートにおける体液が付着した部分に手が触れる可能性があり、衛生的に好ましくないという問題があった。
【０００５】
また、特許文献２には、吸収体の外周部に連続的な袋状部材を設け、該袋状部材の内部に紐状部材を挿通すると共に、その紐状部材の両端部を、該両端部が対向した状態で袋状部材の外部に導出した構成の吸収性物品が記載されている。
【０００６】
この特許文献２に記載の吸収性物品の場合、紐状部材を引っ張るだけで吸収性物品全体を折り畳むことができるが、液透過性シートが外部に露出しない状態にまで吸収性物品を折り畳むためには、前記紐状部材をかなりの長さ引っ張り出す必要がある。即ち、特許文献２の吸収性物品の場合、袋状部材が吸収体の外周を囲むように連続的に設けられているため、紐状部材の各端部は、それぞれ吸収性物品の製品長（長さ方向の長さ）とほぼ同程度引き出さなければ、所望の形態、つまり液透過性シートが外部に露出しない状態にまで小さく折り畳むことができない。
そのため、紐状部材の両方の端部の引き出し長さの合計は、吸収性物品の製品長の約２倍に及んでしまって操作性が悪い上に、使用後の吸収性物品の折り畳み作業は手間がかかって著しく面倒であることから、折り畳みの際の簡便性が損なわれる。
【先行技術文献】
【特許文献】
【０００７】
【特許文献１】特開２００７−２０２７９０号公報
【特許文献２】特開２００７−８２５９５号公報
【発明の概要】
【発明が解決しようとする課題】
【０００８】
本発明の技術的課題は、廃棄時において、液透過性シートの体液が付着した部分に触れることなく、簡便に折り畳むことができる吸収性物品を提供することにある。
【課題を解決するための手段】
【０００９】
前記課題を解決するため、本発明の吸収性物品は、液不透過性シートと、該液不透過性シートの一面側に配設された液透過性シートと、これらの液不透過性シートと液透過性シートとの間に配設された、一方向に長い吸収体とを備えた吸収性物品であって、前記吸収体の幅方向の両側に沿って該吸収体の長さ方向にそれぞれ延びる一対の筒状部と、これらの一対の筒状部内にそれぞれ挿通された、該筒状部の長さ方向に延びる一対の紐状部材とを有し、前記一対の紐状部材は、両端部が、挿通された前記筒状部の長さ方向の両端部にそれぞれ固定されていると共に、これらの各紐状部材における両端部以外の部分は、該筒状部の周面に設けられた導出孔を通して筒状部の外部に引き出し自在であるものである。
【００１０】
本発明においては、前記筒状部は、前記液不透過性シートにおける前記液透過性シートが配設された面側に配設されているものとすることができる。
さらに、本発明においては、前記導出孔は、前記液不透過性シートにおける前記液透過性シートが配設された面とは反対側の面側に配設されているものとすることができる。
【００１１】
さらに、本発明においては、前記吸収性物品は、幅方向の両側部に、各側部からそれぞれ外方に延出して使用時に衣類に固定されるウイング部を備えていて、前記導出孔は、少なくとも一部が、前記筒状部における該ウイング部の基端側に沿う範囲内に形成されているものとすることができる。
この場合においては、前記導出孔は、長さ方向の長さが、前記ウイング部の基端側における前記吸収体の長さ方向に沿う方向の長さ以上に形成されているものとすることができる。
あるいは、前記導出孔は、長さ方向の長さが、前記ウイング部の基端側における前記吸収体の長さ方向に沿う方向の長さ未満に形成されているものとしてよい。
【００１２】
また、本発明においては、前記吸収体は、前方領域と中央領域と後方領域とが長さ方向に連続して設けられていて、これらの領域のうちの中央領域が他の領域よりも曲げ剛性が高く形成されているものとすることができる。
さらに、本発明においては、前記吸収体は、該吸収体の長さ方向への折れ曲がりを誘引する、幅方向に延びる折曲誘引部を有しているものとすることができる。
【発明の効果】
【００１３】
本発明によれば、吸収体の長さ方向にそれぞれ延びる一対の筒状部の内部に挿通した一対の紐状部材を、導出孔を通じて筒状部の外部に引き出すだけで吸収性物品全体を折り畳むことが可能であるため、液透過性シートの体液が付着した部分に触れることなく折り畳むことができる。
また、前記一対の紐状部材は、両端部を前記筒状部の長さ方向の両端部にそれぞれ固定して、各紐状部材における両端部以外を、該筒状部の周面に設けられた導出孔を通して筒状部の外部に引き出し自在としているため、各紐状部材の引き出し長さを従来に比べて著しく抑えることができ、吸収性物品全体を短時間で簡便に折り畳むことが可能である。
【図面の簡単な説明】
【００１４】
【図１】図１は本発明に係る吸収性物品の第１の実施の形態を模式的に示す平面図である。
【図２】図２は図１のＡ−Ａ’断面図である。
【図３】図３は図２の要部拡大断面図である。
【図４】図４は、第１の実施の形態における吸収性物品の製造工程の一部を説明する模式的な平面図である。
【図５】図５は、図４の（ａ）Ｂ−Ｂ’拡大断面図、（ｂ）Ｃ−Ｃ’拡大断面図である。
【図６】図６は吸収性物品を折り畳む途中の段階を模式的に示す斜視図である。
【図７】図７は吸収性物品の折り畳みが図６よりも進んだ状態を模式的に示す正面図である。
【図８】図８は吸収性物品の折り畳みが図７よりもさらに進んだ状態を模式的に示す正面図である。
【図９】図９は本発明に係る吸収性物品の第２の実施の形態を模式的に示す平面図である。
【図１０】図１０は同底面図である。
【図１１】図１１は図１０のＤ−Ｄ’断面図である。
【図１２】図１２は図１１の要部拡大断面図である。
【図１３】図１３は本発明に係る吸収性物品の第３の実施の形態を模式的に示す平面図である。
【図１４】図１４は本発明に係る吸収性物品の第４の実施の形態を模式的に示す平面図である。
【図１５】図１５は、本発明に係る吸収性物品のさらに異なる実施の形態を模式的に示す断面図である。
【発明を実施するための形態】
【００１５】
図１〜図８は、本発明に吸収性物品の第１の実施の形態を示すもので、この第１の実施の形態は、吸収性物品として生理用ナプキンを採用している。
【００１６】
即ち、この実施の形態の吸収性物品１Ａは、液不透過性シート２と、該液不透過性シート２の一面側に配設された液透過性シート３と、これらの液不透過性シート２と液透過性シート３との間に配設された、一方向に長い帯状の吸収体４とを備えている。
また、前記吸収体４の幅方向の両側に設けられた左右一対の筒状部５，６と、これらの一対の筒状部５，６内にそれぞれ挿通された一対の紐状部材７，８とを有している。
さらに、前記液不透過性シート２における液透過性シート３が配設された面側には、前記吸収体４の両側部にそれぞれ配設された一対のサイドシート９，１０が取付けられている。
【００１７】
この実施の形態において、前記吸収性物品１Ａは、前記吸収体４が配設されて該吸収体４の長さ方向に長い本体部１１と、該本体部１１の幅方向の両側部に連結された、使用時において下着に固定される一対のウイング部１２，１３とを一体に備えた構成となっている。
前記本体部１１は、下着のクロッチ部における使用者の肌側に貼着されて、経血等の体液を吸収、保持するもので、前記液不透過性シート２の一部、及び液透過性シート３、吸収体４、サイドシート９，１０の一部、並びに前記筒状部５，６及び紐状部材７，８を含んでいる。
【００１８】
一方、前記一対のウイング部１２，１３は、前記本体部１１の幅方向の両側部から外方に延出したもので、前記液不透過性シート２の一部と、サイドシート９，１０の一部とを含み、使用時においては、下着のクロッチ部の外面側に折り返された上で、その外面に貼着されて、本体部１１の位置ずれやヨレを防止する。
この実施の形態においては、これらの一対のウイング部１２，１３は、前記本体部１１の長さ方向の略中央部に、それぞれ相反する方向に向けて突設されている。また、これらの各ウイング部１２，１３は、前記本体部１１の長さ方向と同じ方向に長く形成されていると共に、該本体部１１との連結側、即ち基端側から先端側に行くにしたがって次第に先細る平面視略台形状の態様となっている。
【００１９】
前記本体部１１及び一対のウイング部１２，１３には、前記液不透過性シート２において前記液透過性シート３が配設された面とは反対側の面側、即ち下着に接する面側に、これらの本体部１１及び一対のウイング部１２，１３を下着のクロッチ部に貼着させるための粘着部材１４〜１６がそれぞれ配設されている。
前記粘着部材１４〜１６として用いられる粘着剤としては、例えば、スチレン−エチレン−ブチレン−スチレンブロック共重合体、スチレン−ブチレン重合体、スチレン−ブチレン−スチレンブロック共重合体、スチレン−イソブチレン−スチレン共重合体等のスチレン系ポリマー；Ｃ５系石油樹脂、Ｃ９系石油樹脂、ジシクロペンタジエン系石油樹脂、ロジン系石油樹脂、ポリテルペン樹脂、テルペンフェノール樹脂等の粘着付与剤；リン酸トリフレシル、フタル酸ジブチル、フタル酸ジオクチル等のモノマー可塑剤；ビニル重合体、ポリエステル等のポリマー可塑剤等が挙げられる。
なお、この実施の形態においては、前記粘着部材１４〜１６は、それぞれ、吸収性物品の長さ方向に沿うように延びる１枚の帯状の粘着剤シートを用いた態様となっているが、これらの粘着部材は、吸収性物品の長さ方向に沿うように伸びる複数の小片状の粘着剤シートを、吸収性物品の幅方向に等間隔に並べた態様であってもよい。
【００２０】
前記液不透過性シート２は、吸収性物品１Ａにおける使用者の下着側（図２及び図３中の吸収体４の下面側）に設けられていて、排出された体液の透過を防止して下着等に漏れ出るのを防止するものであり、前記本体部１１と一対のウイング部１２，１３とが一体に形成された平面視形状（即ち、吸収性物品の平面視形状と実質的に同形）となっている。
前記液不透過性シート２としては、例えば、防水処理を施した不織布、合成樹脂（例えばポリエチレン、ポリプロピレン、ポリエチレンテレフタレート等）フィルム、不織布と合成樹脂フィルムとの複合シート（例えばスパンボンド、スパンレース等の不織布に通気性の合成樹脂フィルムが接合された複合フィルム）、耐水性の高いメルトブローン不織布を強度の強いスパンボンド不織布で挟んだＳＭＳ不織布等を用いることができる。
【００２１】
また、前記液透過性シート３は、使用者の肌に当接して該使用者からの体液を素早く吸収し、前記吸収体４に移行させるものである。
この液透過性シート３は、例えば不織布、織布、液透過孔が形成された合成樹脂フィルム、網目を有するネット状シート等により形成され、前記吸収体４における使用者の肌と対向する面側（図２及び図３中、吸収体４の上面側）に配設されている。
【００２２】
なお、前記液透過性シート３として不織布を用いる場合、この不織布としては、例えば天然繊維（例えば羊毛、コットン等）、再生繊維（例えばレーヨン、アセテート等）、無機繊維（例えばガラス繊維、炭素繊維等）合成樹脂繊維（例えばポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタレート、ポリブチレンテレフタラート、ポリトリメチレンテレフタラート、ポリ乳酸等のポリエステル；ナイロン等のポリアミド等）等が挙げられる。不織布には、芯・鞘型繊維、サイド・バイ・サイド型繊維、島／海型繊維等の複合繊維；中空タイプの繊維、扁平、Ｙ型、Ｃ型等の異型繊維、潜在捲縮又は顕在捲縮の立体捲縮繊維；水流、熱、エンボス加工等の物理的負荷により分割する分割繊維等が混合されていてもよい。
【００２３】
さらに、前記吸収体４は、使用者の経血等の体液を吸収して保持するもので、パルプと吸水性ポリマーとを含み、外周面が不織布製の被覆シート（図示せず）により被覆されている。
また、この吸収体４は、使用者からの経血等の体液が最も多く供給される部分である、長さ方向の中央部分にあたる中央領域１７と、該中央領域１７に隣接して使用者の正面方向に延びる前方領域１８と、前記中央領域１７に隣接して該前方領域１８とは相反する方向に延びる後方領域１９とが、吸収体４の長さ方向に連続且つ一体的に設けられている。
なお、前記吸収体４の中央領域は、例えば使用時における膣口との対面想定位置から前後方向にそれぞれ６０ｍｍ程度（計１２０ｍｍ）とすることができる。この実施の形態においては、後述するエンボス２４ａ〜２４ｄのうち、吸収体４の幅方向の略中央に位置する前方側の平面視略半円形状のエンボス２４ｄと後方側の平面視略半円形状のエンボス２４ｄとの間の領域を中央領域とし、前方側のエンボス２４ｄから吸収体４の前方側の領域を前方領域１８、後方側のエンボス２４ｄから吸収体４の後方側の領域を後方領域１９としている。
【００２４】
本発明において前記吸収体４を形成するパルプとしては、例えば、針葉樹又は広葉樹を原料として得られる木材パルプ（例えば、砕木パルプ、リファイナーグランドパルプ、サーモメカニカルパルプ、ケミサーモメカニカルパルプ等の機械パルプ；クラフトパルプ、サルファイドパルプ、アルカリパルプ等の化学パルプ；半化学パルプ等）；木材パルプに化学処理を施して得られるマーセル化パルプ又は架橋パルプ；バガス、ケナフ、竹、麻、綿（例えばコットンリンター）等の非木材パルプ；レーヨン、フィブリルレーヨン等の再生セルロース；アセテート、トリアセテート等の半合成セルロース等が挙げられるが、コストが低く、成形しやすいこと点から、粉砕パルプが好ましい。
【００２５】
一方、本発明において前記吸収体４を形成する吸水性ポリマーとしては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸水性樹脂（Superabsorbent Polymer：ＳＡＰ）等が挙げられるが、これらのうちポリアクリル酸塩系（特に、ポリアクリル酸ナトリウム系）の高吸水性樹脂が好ましい。
【００２６】
また、前記一対のサイドシート９，１０は、使用者からの体液が吸収性物品１Ａの幅方向の両側から外側に漏れるのを防止するもので、前記本体部１１における前記吸収体４の幅方向の両側部にそれぞれ配設されている。さらに、これらの各サイドシート９，１０の少なくとも一部は、前記液透過性シート３の幅方向の両側部をそれぞれ覆っていると共に、前記液不透過性シート２における、前記一対のウイング部１２，１３に相当する部分の液透過性シート側の表面を被覆している。
なお、前記一対のサイドシート９，１０は、体液の漏れを防止し得るように、疎水性又は撥水性を有することが好ましく、例えば、スパンボンド不織布、ＳＭＳ不織布、エアスルー不織布等の材料によって構成することができる。
【００２７】
さらに、前記液透過性シート３及び一対のサイドシート９，１０は、前記液不透過性シート２の外周縁（即ち、実質的に吸収性物品の外周縁）に沿って設けられたシール部２０によって、該液不透過性シート２にそれぞれ接合されている。
なお、前記シール部２０による接合様式としては、例えばエンボス加工、超音波による溶着、ホットメルト型接着剤を用いた接着等の各種方法を用いることができる。あるいは接合強度を高めるために、例えば、ホットメルト型接着剤による接合の後、エンボス加工を施す等、２種類以上の接合様式を組み合わせてもよい。
【００２８】
そして、前記一対の筒状部５，６は、前記吸収体４の幅方向の両側に沿って、該吸収体４の長さ方向にそれぞれ延設されていて、これらの一対の筒状部５，６は、それぞれの配設位置において、前記本体部１１の長さ方向の両端部まで、相互に略平行な状態で延びている。
前記各筒状部５，６は、相互に別体に形成された中空状のもので、挿入されている前記紐状部材７，８がその長さ方向に移動することを妨げない程度の大きさを有する内部空間５ａ，６ａが、前記吸収体４の長さ方向に沿って延びている。
また、これらの一対の筒状部５，６は、不織布等の柔軟な素材で形成され、吸収性物品１Ａ（より具体的には前記本体部１１）の柔軟性を妨げることなく、該吸収性物品１Ａと一体的に屈曲、変形可能となっている。
【００２９】
この実施の形態においては、前記一対の筒状部５，６は、前記一対のサイドシート９，１０の一部分によってそれぞれ形成されている。
具体的には、前記各サイドシート９，１０の幅方向における吸収体側の端部をそれぞれ折り返すと共に、その折り返した部分の先端部を元のサイドシート９，１０に、ホットメルト型接着剤を用いた接着やエンボス加工、超音波による溶着等の適当な手段によって接合することにより中空の筒状とし、その折り返した各部分を各サイドシート９，１０の長さ方向に延びる一対の筒状部５，６としている。したがって、前記液不透過性シート２におけるサイドシート９，１０が配設された面側、即ち、前記液透過性シート３が配設された、使用者の肌と対向する面側に、これらの一対の筒状部５，６が形成されることとなる。
また、図２及び図３に示すように、前記一対の筒状部５，６は、それぞれの幅方向の断面形状が、吸収性物品１Ａの幅方向に長い扁平な形状となっていて、各筒状部５，６が吸収性物品全体の柔軟性や薄さを阻害しない態様となっている。
【００３０】
一方、前記一対の紐状部材７，８は、吸収性物品１Ａの廃棄時において該吸収性物品１Ａの折り畳みに係る操作を行うものである。
即ち、これらの一対の紐状部材７，８は、それぞれが挿通される前記各筒状部５，６の長さ方向に延びるもので、吸収性物品全体の屈曲、変形を阻害することがない程度の柔軟性と、吸収性物品１Ａの折り畳みの際に手で引っ張ってもちぎれない程度の強度とを有しており、例えば綿、ポリエステル、ポリエステルとレーヨンの混綿、ポリプロピレンなどで形成された糸を撚り合わせて形成することができる。
また、これらの一対の紐状部材７，８は、前記筒状部５，６の長さ方向の長さとほぼ同程度の大きさにそれぞれ形成されていて、各紐状部材７，８の両端部は、それぞれの紐状部材７，８が挿通されている前記筒状部５，６の長さ方向の両端部に各々固定されている一方で、他の部分は該筒状部５，６の内部空間５ａ，６ａ中を移動自在となっている。
【００３１】
さらに、この実施の形態においては、前記各紐状部材７，８は、前述のように幅方向の断面形状が扁平状に形成されている筒状部５，６の内部空間５ａ，６ａ内において、前記吸収体４とは反対側に位置する幅方向の端部側に偏寄した状態に配設されていて、これらの各紐状部材７，８はその状態で長さ方向の両端部が筒状部に固定されている。
前記各紐状部材７，８の両端部の筒状部５，６への固定は、ホットメルト型接着剤等の接着剤による接着、エンボス加工、超音波による溶着等の各種手段によって行うことができる。
【００３２】
なお、この実施の形態の場合、前記各紐状部材７，８の両端部の筒状部５，６への固定は、２つの固定方法を併用している。
即ち、第１の固定方法として、後述する吸収性物品の製造工程においてサイドシート９，１０となるウエブ１０１，１０２に一連の紐１１１，１１２の接着のために塗布される、ホットメルト型接着剤１０９，１１０による接着によって直接的な固定を行う方法を用いている。吸収性物品１Ａの製造工程において、最終的に製品としての吸収性物品１Ａの外形に切断される際には、前記一連の紐１１１，１１２は、ホットメルト型接着剤１０９，１１０で接着された部分で切断されるため、結果として紐状部材７，８の両端側が筒状部５，６に固定された状態となる。
第２の方法としては、前記液透過性シート３及び一対のサイドシート９，１０を、前記液不透過性シート２に接合する際に、該液不透過性シート２の外周縁に沿って設けられた前述のシール部２０によって固定を行う方法を用いている。即ち、サイドシート９，１０における本体部１１を形成する部分が液不透過性シート２に接合する際に、前記シール部２０による各シートの接合と共に、該シール部２０によって紐状部材７，８の両端部の各筒状部５，６の両端部への固定を併せて行っている。
【００３３】
ここで、前記一対の筒状部５，６の周面には、液不透過性シート２における液透過性シート３側において各筒状部５，６に挿通されている紐状部材７，８を該筒状部５，６の外部に導出させるための導出孔２１，２２がそれぞれ設けられている。これにより、これらの導出孔２１，２２を通して、各紐状部材７，８における両端部以外の部分を各筒状部５，６の外部に自在にそれぞれ引き出せるようになっている。
そして、前記各紐状部材７，８をそれぞれの導出孔２１，２２から引き出して引っ張ることにより、前記吸収性物品１Ａ、より具体的には本体部１１の長さ方向の両端部が導出孔２１，２２の方向に引き寄せることができるようになっている。
【００３４】
具体的には、これらの各紐状部材７，８をそれぞれ引っ張ることにより、各紐状部材７，８の両端部が筒状部５，６の内部を通じて導出孔２１，２２の方向に引っ張られ、これにより、前記吸収性物品１Ａ、より具体的には前記本体部１１の長さ方向の両端部が導出孔２１，２２の方向に引き寄せられる。これにより、前記本体部１１の長さ方向の両端側の部分が、相互に重なるようにして該本体部１１の前記液透過性シート側を隠すと共に、吸収性物品１Ａ全体が折り畳まれることとなる。
【００３５】
この実施の形態の場合、前記導出孔２１，２２は、前記筒状部５，６における前記ウイング部１２，１３の基端側に沿う範囲内にそれぞれ配設されている。これにより、前記紐状部材７，８を、前記筒状部５，６におけるウイング部１２，１３の基端部に対応する部分、即ち、前記本体部１１の長さ方向の略中央部あるいはその近傍において、該紐状部分７，８の長さ方向の略中央部をそれぞれ指で引き出すことが可能となっている。
また、前記導出孔２１，２２は、長さ方向の長さが前記ウイング部１２，１３の基端部の長さ方向の長さ未満に形成された、筒状部５，６の長さ方向に所定の大きさを有する長穴状となっている。
さらに、前記導出孔２１，２２は、前述のように幅方向の断面形状が扁平状に形成された前記筒状部５，６における、前記吸収体４とは反対側に位置する幅方向の端部側に形成されていて、前記紐状部材７，８を、直近の前記ウイング部１２，１３の延出方向に向けてそれぞれ引き出しやすくなっている。
【００３６】
前述のように、前記導出孔２１，２２を前記筒状部５，６における該ウイング部１２，１３の基端側に沿う範囲内に形成したのは、吸収性物品１Ａの本体部１１のうち、体液を多く吸収、保持している部分である液透過性シート側のウイング部近傍の部分の方向に他の部分を引き寄せて、その液透過性シート側ウイング部近傍の部分を覆い隠すようにするためである。
【００３７】
一般に、ウイング部を備えた生理用ナプキンは、使用者からの経血が最も供給される部分に対応する部分の幅方向の両側にそれぞれウイング部を設け、それらのウイング部によって生理用ナプキンが下着のクロッチからずれたりよれたりすることを防止するようになっている。そのため、吸収性物品の本体部は、ウイング部近傍の液透過性シート側の部分に最も経血が付着していると考えられ、使用後の吸収性物品を廃棄する際には、この経血が付着している部分が見えないように折り畳むことが肝要である。
したがって、この実施の形態においては、前記導出孔２１，２２を、前記筒状部５，６におけるウイング部１２，１３の基端側に沿う範囲内に形成して、その位置で紐状部材７，８を引き出し可能として、本体部１１の長手方向の両端側の部分をウイング部近傍の部分に引き寄せてそのウイング部近傍の液透過性シート側を覆い隠せるようにしている。
【００３８】
また、前記導出孔２１，２２の長さ方向の長さを、前記ウイング部１２，１３の基端部の長さ方向の長さ未満としたのは、できるだけ吸収性物品１Ａ全体をコンパクトに折り畳むことができるようにするためである。
具体的に説明すると、前記吸収性物品１Ａにおいて、前記紐状部材７，８を導出孔２１，２２から引き出すことによって該導出孔２１，２２の方に引き寄せられる部分は、紐状部材７，８からの引っ張り力によって変形が生じやすい。そして、吸収性物品１Ａにおいて紐状部材７，８によって引き寄せられる部分は、実質的に導出孔２１，２２の長さ方向に沿う範囲外の部分、即ち、筒状部５，６の両端部から、導出孔２１，２２における該筒状部５，６の各端部に直近の端部までの間の部分である。
一方で、吸収性物品１Ａにおける該導出孔２１，２２の長さ方向に沿う範囲については、紐状部材７，８の引っ張り力が作用しづらいため、前記範囲外の部分に比べて変形量は小さい。
そのため、吸収性物品１Ａの折り畳み後の大きさは、紐状部材７，８を引っ張った際に吸収性物品１Ａの変形量が小さい部分、即ち、吸収性物品１Ａにおける該導出孔２１，２２の長さ方向に沿う範囲が大きく影響することから、折り畳み後の大きさは実質的にこの導出孔２１，２２の長さ方向の長さに大きく左右される傾向にある。
【００３９】
そのため、この実施の形態においては、導出孔２１，２２の長さ方向の長さを、前記ウイング部１２，１３の基端部の長さ方向の長さよりも小さくして、使用者からの経血の量が比較的少ない場合等において、吸収性物品１Ａ全体をできるだけコンパクトに折り畳むことができるようにしている。
【００４０】
さらに、前記導出孔２１，２２を、前記筒状部５，６の長さ方向に所定の大きさを有する長穴状としたのは、前記吸収体４における該導出孔２１，２２に沿う範囲内の部分について、紐状部材７，８の引っ張りに起因する複雑な変形や収縮等が生じるのを抑えるためである。
前述のように、前記紐状部材７，８を導出孔２１，２２から引き出すことによって該導出孔２１，２２の方に引き寄せられる部分は、紐状部材７，８からの引っ張り力によって何らかの変形が発生しやすい傾向にある。しかしながら、変形量が大きくなると、吸収体４が大きく収縮してしまうため、該吸収体４が吸収、保持していた体液が絞り出される可能性がある。特に、経血等の体液を多く吸収した部分についてはその可能性が高く、吸収体４の変形量の大きさによっては、該吸収体４から体液が絞り出され、さらにその絞り出された体液が液透過性シート側から漏れ出る場合も考えられる。
一方で、前記吸収体４における該導出孔２１，２２の長さ方向に沿う範囲については、前記紐状部材７，８を導出孔から引き出しても、前記導出孔２１，２２の長さ方向に沿う範囲外の部分に比べて変形量が格段に小さいため、該吸収体４が吸収、保持していた体液が絞り出される可能性は低い。
【００４１】
そのため、この実施の形態においては、前記導出孔２１，２２を、前記筒状部５，６の長さ方向に所定の大きさを有する長穴状とすることにより、吸収体４において紐状部材７，８の導出孔２１，２２からの引き出しの際に変形量が小さい部分を形成して、吸収体４のうちの体液を多く吸収した部分の変形を抑えて、体液が絞り出されて漏れ出すことを防止するようにしている。
特に、この実施の形態の場合、前記導出孔２１，２２は、前記筒状部５，６における該ウイング部１２．１３の基端側に沿う範囲内に形成されているため、吸収体４において使用者からの体液が最も供給される部分の変形量が確実に抑えられ、該体液が絞り出されることが安定的に防止されることとなる。
【００４２】
ところで、前記吸収体４は、前方領域１８と中央領域１７と後方領域１９との３つの領域のうち、中央領域１７については他の領域よりも曲げ剛性を高く形成した構成となっている。
このように、中央領域１７の曲げ剛性を他の領域１８，１９よりも高くしたのは、吸収性物品１Ａを折り畳む際に該中央領域１７がよれることによって、該吸収体４の中央領域１７に吸収、保持されている体液が滲み出ることを防ぐためである。
即ち、前記紐状部材を導出孔から引き出して引っ張った際に、他の領域に比べて体液を多く吸収、保持している中央領域がよれると、該中央領域から体液が絞り出されてしまい、液透過性シートに滲んで漏れ出す可能性があるため、この実施の形態においては、中央領域１７の曲げ剛性を他の領域よりも高くして、よれの発生を抑止するようにしている。
【００４３】
前記吸収体４の中央領域１７の曲げ剛性を前方領域１８及び後方領域１９よりも曲げ剛性を高く形成する手段としては、例えば中央領域を形成する繊維の目付量を他の領域よりも大きくする等、任意の手段を用いることができる。
また、前記吸収体４の中央領域１７の曲げ剛性については、前方領域１８や後方領域１９の曲げ剛性の１．５倍以上とすることが好ましい。
【００４４】
また、前記吸収体４には、該吸収体４の長さ方向への折れ曲がりを誘引する、幅方向に延びる折曲誘引部２３が設けられている。
このように、前記折曲誘引部２３を形成したのは、前記紐状部材７，８を引っ張った際に、吸収性物品１Ａ、さらに具体的には本体部１１の長さ方向の両端側を、吸収性物品１Ａ（本体部１１）の長さ方向の中央に向けてスムーズに折り曲げられるようにして、液透過性シート側を覆い隠すような吸収性物品１Ａの折り畳みを簡単かつ安定的に行わせるためである。
【００４５】
さらに、この実施の形態においては、前記液透過性シート３を通して吸収体４に施されたエンボス２４ａ〜２４ｄの加工位置によって、剛性が高い部分と低い部分とを形成し、その剛性の高い部分と低い部分との境目を主な折曲誘引部２３，２３としている。
この実施の形態の場合、図１に示すように、前記吸収体４は、前記エンボスとして、吸収体４の最も前方側及び後方側（図１における最も上方側及び下方側）にそれぞれ配設された略Ｕ字状のエンボス２４ａ，２４ａを備えている。また、これらのエンボス２４ａ，２４ａよりも吸収体４の長さ方向の中心寄りの位置にそれぞれ配設された、４本の線状のエンボス２４ｂと、吸収体４の長さ方向の最も中心側に位置し、該エンボス２４ｂと隣接する線状のエンボス２４ｃ，２４ｃとを有している。さらに、前記エンボス２４ａ，２４ａよりも吸収体４の長さ方向の中心寄りに位置し、且つ該吸収体４の幅方向の略中央にそれぞれ配設された略半円形状のエンボス２４ｄ，２４ｄを備えている。なお、これらのエンボス２４ａ〜２４ｄは、いずれも、液透過性シート２及び吸収体４の両方を該液透過性シート側からエンボス加工を施した溝状のものであり、また、各エンボス２４ａ〜２４ｄは、それぞれ独立していて、他のエンボスとの間は一定の間隔が設けられて相互に非接触な状態に配設されている。
そして、前記エンボス２４ｄ及びその近傍のエンボス２４ａ，２４ｂの間の空間を、それぞれ折曲誘引部２３，２３としている。
【００４６】
基本的に、前記エンボス２４ａ〜２４ｄが施された部分は剛性が高く、折れ曲がりにくいが、エンボス２４ａ〜２４ｄが施されていない部分は比較的剛性が低く、折れ曲がりやすい。そのため、エンボスが施されている部分、特にエンボスが施されている部分と施されていない部分との境界においては、外力が加わった場合には折れ曲がりが誘引されやすい傾向にある。
したがって、この実施の形態においては、相互に隣接するエンボス２４ａ，２４ｂ，２４ｄが施された部分の間の、エンボスが施されていない空間の領域を、それぞれ折曲誘引部２３，２３とし、吸収体４の長さ方向への折れ曲がりを誘引できるようにしている。これにより、吸収性物品１Ａを折り畳む際には、これらの２つの折曲誘引部２３，２３を中心に、該吸収性物品１Ａ（厳密には本体部１１）を簡単に折り曲げることが可能となる。
【００４７】
なお、前記エンボス２４ａについて、吸収体４の幅方向に延びる部分（本体部の長さ方向の直近の端部側の部分）は、吸収体４の幅方向の厚さが実質的に小さくなるため、この部分においては本体部１１の長さ方向には比較的曲がりやすい。そのため、図１中において破線で囲んだ折曲誘引部２３，２３以外の部分（この場合はエンボス２４ａにおける本体部の直近の端部側）の部分においても、吸収体の折曲を誘引する場合があり、折曲誘引部となり得る。
また、前記エンボス２４ｄについては、全体として実質的に吸収体４の幅方向に延びていて、吸収体４の幅方向の厚さが実質的に小さいため、該エンボス２４ｄ自体が折曲誘引部となり得る。
さらに、吸収性物品としての生理用ナプキンは、販売される際には、長さ方向且つ液透過性シート側に３つに折り曲げられた状態で個別に包装されているのが通常であるため、吸収体には既に折り癖が形成されている場合が多い。そのような折り癖が形成されている部分は、本体部の長さ方向に折れ曲がりやすいため、やはり折曲誘引部となり得る。
【００４８】
前記構成を有する吸収性物品は、例えば次のように製造することができる。
即ち、図４に示すように、第１の工程として、まず一対のサイドシート９，１０となる一対のウエブ１０１，１０２をライン上の搬送方向に沿うように並べる。そして、これらの一対のウエブ１０１，１０２を搬送させながら、各ウエブ１０１，１０２における他方のウエブと相反する側の幅方向の端部（以下、第１端部という。）１０１ａ，１０２ａに寄った部分を、スリッター１０３，１０４によってウエブ１０１，１０２の長さ方向に一定間隔で切断して、前記導出孔２１，２２となる直線状のスリット１０５，１０６を形成する。
第２の工程として、ホットメルト型接着剤を塗布するコーター装置１０７，１０８を用い、各ウエブ１０１，１０２の上面側における、前記第１の工程で形成した隣接するスリットの間に、前記紐状部材７，８の両端部の固定に供するホットメルト型接着剤１０９，１１０をそれぞれ塗布する。図１に示すものの場合、隣接するスリットの間のほぼ中間にホットメルト型接着剤１０９，１１０を塗布している。
第３の工程として、前記第２の工程で塗布した各ウエブのホットメルト型接着剤１０９，１１０上に、紐状部材７，８となる一連の紐１１１，１１２を、ウエブ１０１，１０２の長さ方向にそれぞれ載置、接着して、各ウエブ１０１，１０２上における該紐１１１，１１２の位置をそれぞれ決定する。
【００４９】
各ウエブ上における紐の位置を決定した後、第４の工程として、図４及び図５（ａ）に示すように、各ウエブの第１端部１０１ａ，１０２ａを、前記スリット１０５，１０６が形成されている直線上の位置において、各ウエブ１０１，１０２の幅方向の中心に向けて、それぞれ上面側に折り返す。このとき、前記紐１１１，１１２はウエブ１０１，１０２の第１端部を折り返すことにより形成される中空部分の内部空間内に収容される。
第５の工程として、図４及び図５（ｂ）に示すように、各ウエブ１０１，１０２における他方のウエブと対向する側の幅方向の端部（以下、第２端部という。）１０１ｂ，１０２ｂを、同じウエブの第１端部１０１ａ，１０２ａの方向に向けて、それぞれ上方側に折り返す。これにより、第１端部１０１ａ，１０２ａを折り返した部分の上にさらにウエブが積層されて、ウエブ１０１，１０２の第１端部側が筒状に巻かれた形態となる。この結果、搬送ライン上の各ウエブ１０１ａ，１０２ａの下面側には、該ウエブの搬送方向に延びる筒状部５，６（ただし、製品としての長さに切断される前の状態）が形成されることとなる。
【００５０】
なお、前記第１〜第５の工程の後は、広く行われている生理用ナプキンの製造と同様の工程が実施される。
即ち、図５（ｂ）に示すように、搬送ライン上における前記筒状部が形成されたサイドシートとなる各ウエブ１０１，１０２の間に、上面に吸収体４を配設した状態の液透過性シートとなるウエブ１１３を、その幅方向の両端部がサイドシードとなる各ウエブ１０１，１０２上に載った状態で配設する工程を実施する。
なお、前記液透過性シートとなるウエブ１１３及び吸収体４については、この工程の前後、あるいはこの工程と同時に、エンボス２４ａ〜２４ｄを形成するためのエンボス加工が施される。
また、液透過性シートとなるウエブ１１３を、サイドシードとなる各ウエブ１０１，１０２上に載った状態で配設した際には、これらの液透過性シートとなるウエブ１１３と、サイドシードとなる各ウエブ１０１，１０２とが重複する部分をエンボス加工によるエンボスにより相互に接合してもよい。このとき、このエンボス加工は、前記筒状部５，６となる部分における幅方向の吸収体側の端部側に沿うように、これらのウエブの搬送方向に向けてエンボスを形成することが好ましい。
【００５１】
さらに、搬送ライン上における、前記サイドシートとなる各ウエブ１０１，１０２と液透過性シートとなるウエブ１１３、吸収体４との上に、液不透過性シートとなるウエブを、ホットメルト型接着剤等の接着剤を介して、貼り付ける工程を行う（図示せず）。なお、この貼り付ける工程は、前記液不透過性シートとなるウエブにおける、前記サイドシートとなる各ウエブ１０１，１０２と液透過性シートとなるウエブ１１３、吸収体４が貼り付けられる面とは反対側の面に、前記粘着部材１４〜１５となる粘着シートを事前に取付けた上で行われる。
その後、実質的に製品としての吸収性物品１Ａの外周縁となる部分において、サイドシートとなるウエブ１０１，１０２及び液透過性シートとなるウエブ１１３と、液不透過性シートとなるウエブとを相互に接合してシール部２０とする（図示せず）。そして、所望の製品の平面視形状に切断する工程（図示せず）を経て、製品としての吸収性物品１Ａが形成されることとなる。
【００５２】
前記構成を有する吸収性物品１Ａを、使用後に小さく折り畳む場合には、図１に示すように、前記一対の筒状部５，６にそれぞれ設けられた各導出孔２１，２２から、該各筒状部５，６内の紐状部材７，８をそれぞれ引き出す。そして、それらの一対の紐状部材７，８を、吸収性物品１Ａの幅方向の外方向け、さらに具体的には、直近のウイング部１２，１３の延出方向に向け、相互に相反する方向にそれぞれ引っ張る。
図６に示すように、前記一対の紐状部材７，８を引っ張ると、前記吸収性物品１Ａにおける本体部１１の長さ方向の両端部が、該本体部１１の長さ方向の略中央に向けて引き寄せられると共に、吸収体４が前記折曲誘引部２３の位置において液透透過性シート側に折れ曲がる。
【００５３】
そして、図７に示すように、前記一対の紐状部材７，８をさらに引っ張ると、前記本体部１１の両端側の部分、具体的には、本体部１１における吸収体４の前方領域１８を含む部分と後方領域１９を含む部分とが、中央領域１７を含む部分の液透透過性シート側を覆い隠すように折り畳まれる。なお、図７に示すものの場合、吸収体４の後方領域１９を含む部分の上に前方領域１８を含む部分が重なった状態で折り畳まれている。
最終的には、図８に示すように、前記吸収性物品１Ａは、液透透過性シート側が全く視認できない状態で、全体としてコンパクトに折り畳まれることとなる。
【００５４】
このように、前記構成を有する吸収性物品１Ａは、吸収体４の長さ方向にそれぞれ延びる一対の筒状部５，６の内部に挿通した一対の紐状部材７，８を、導出孔２１，２２を通じて筒状部５，６の外部に引き出して引っ張るだけで吸収性物品１Ａ全体を折り畳むことが可能である。これにより、前記吸収性物品１Ａは、前記液透過性シート３の体液が付着した部分に触れることなく折り畳むことができる。
【００５５】
しかも、上記一対の筒状部５，６は、前記液不透過性シート２における前記液透過性シート３が配設された面側に配設されていて、前記一対の紐状部材７，８をそれぞれ引っ張ると、吸収性物品１Ａの両端側の部分が導出孔２１，２２の方に引き寄せられ、それらの引き寄せられた両端側の部分が該吸収性物品１Ａの液透過性シート側の面を覆い隠すように折り畳まれる。これにより、吸収性物品１Ａは、廃棄の際に、液透過性シート側の面が露出していないため、液透過性シート３に付着した体液が他の部分に付着することを防止することができ、衛生的である。
【００５６】
また、前記一対の紐状部材７，８は、各々の両端部が前記筒状部５，６の長さ方向の両端部にそれぞれ固定されていて、吸収性物品１Ａの折り畳みの際には、各紐状部材７，８の両端部以外の部分を、前記導出孔２１，２２を通して筒状部５，６の外部にそれぞれ引き出す。そのため、各紐状部材７，８の引き出し長さを、従来に比べて著しく抑えることができ、吸収性物品全体を短時間で簡便に折り畳むことが可能である。
【００５７】
特に、この実施の形態の吸収性物１Ａの場合は、前記導出孔２１，２２が、前記本体部１１の長さ方向の略中央部に位置していて、該紐状部分７，８の長さ方向の略中央部を指で引き出して、吸収性物品１Ａの長さ方向の両端側の部分を導出孔の方に引き寄せる構成である。したがって、折り畳みの際に引っ張るべき紐状部材７，８の長さは、実質的に、吸収性物品１Ａの長さ方向の長さの半分程度の大きさとなるため、従来のような紐状部材を吸収性物品の製品長とほぼ同等の長さ分引っ張る場合に比べ、非常に短い。これにより、吸収性物品１Ａの使用後における折り畳み作業が簡便であるという利点がある。
【００５８】
前記第１の実施の形態においては、前記筒状部に形成された導出孔が、液不透過性シートにおける液透透過性シート側の面に形成されていたが、次に述べる第２の実施の形態の吸収性物品は、導出孔の配設位置が前記第１の実施の形態とは異なっている。
即ち、図９〜図１２は本発明に係る吸収性物品の第２の実施の形態を示すもので、この実施の形態の吸収性物品１Ｂは、左右一対の筒状部５，６が、液不透過性シート２における液透過性シート３が配設された面側（図１１及び図１２における液不透過性シート２の上面側）に、吸収体４の幅方向の両側に沿って該吸収体４の長さ方向にそれぞれ延びるように設けられている。
一方で、各筒状部５，６内の紐状部材７，８を引き出すための導出孔２５，２６が、液不透過性シート２における液透過性シート３が配設された面とは反対側の面側、即ち、該液不透過性シート３における下着に接する面側（図１１及び図１２における液不透過性シート２の下面側）に設けられている。
【００５９】
前記導出孔２５，２６は、前記筒状部５，６の周面、さらには液不透過性シート２を厚さ方向に貫通していて、筒状部内５，６に挿通されている紐状部材７，８を、液不透過性シート２における下着に接する面に導出させることが可能な構成となっている。
また、この実施の形態の場合、前記一対の筒状部５，６は、それぞれの幅方向の断面形状が、吸収性物品１Ｂの幅方向に長い扁平な形状に形成されていて、前記導出孔２５，２６は、各筒状部５，６の、前記吸収体４とは反対側に位置する幅方向の端部側に偏寄した位置にそれぞれ形成されている。したがって、前記紐状部材７，８は、この導出孔２５，２６の位置に適合する位置、即ち、筒状部５，６内おける、前記吸収体４とは反対側に位置する幅方向の端部側に偏寄した位置において、その紐状部材７，８の各両端部が該筒状部５，６の両端部にそれぞれ固定されている。
【００６０】
なお、前記導出孔２５，２６以外の構成については、基本的に前記第１の実施の形態と同じ構成であり、同様の作用効果を奏するため、同じ符号を付して詳細な説明は省略する。
【００６１】
前記構成を有する吸収性物品は１Ｂ、基本的に前記第１の実施の形態と同様の方法で折り畳むことができ、また同様の効果を得ることができる。それに加え、前記導出孔２５，２６が、前記不透過性シート２における前記液透過性シート３が配設された面とは反対側の面側に配設されているため、紐状部材７，８をそれぞれ引き出して引っ張る作業を、その液透過性シート３が配設された面とは反対側の面で行うことができる。
したがって、ウイング部１２，１３も含めた吸収性物品１Ｂの液透過性シート側に一切触れることなく該吸収性物品１Ｂを折り畳むことができるため、きわめて衛生的であるという利点がある。
【００６２】
図１３は、本発明に係る吸収性物品の第３の実施の形態を示すもので、この吸収性物品１Ｃは、前記第１及び第２の実施の形態に比べ、本体部３１、特に使用者の後方側にあたる部分の長さ及び幅が共に大きく形成されていて、就寝時や使用者からの経血等の体液の量が比較的多い場合等に好適に用いられる態様となっている。
【００６３】
そして、紐状部材７，８を左右一対の筒状部５，６の外部に導出するための各導出孔３２，３３は、少なくとも一部が、前記筒状部５，６におけるウイング部３４，３５の基端側に沿う範囲内に形成されている。
さらに、前記各導出孔３２，３３は、長さ方向の長さが、前記ウイング部３４，３５の基端側における前記吸収体４の長さ方向に沿う方向の長さ以上に形成された、全体として長穴状のものとなっている。
【００６４】
この実施の形態においては、前記本体部３１の後方側の長さ大きい分、前記ウイング部３４，３５は、平面視において本体部３１の前方側に寄った位置に配設されている。
さらに、前記各導出孔３２，３３は、その長さ方向の両端部が、前記ウイング部３４，３５の基端側に沿う範囲を越えた位置にある。したがって、各導出孔３２，３３は長さ方向の中央の部分がウイング部の基端側に沿う範囲に位置し、且つ各導出孔３２，３３は長さ方向の長さがウイング部３４，３５の基端側の長さ方向の長さよりも長くなっている。
【００６５】
なお、吸収体４に対するエンボスについては、最も前方側（図１３における最も上方側）に位置する平面視円弧状のエンボス３６ａと、長さ方向の略中央に位置する平面視略Ｕ字形のエンボス３６ｂと、最も後方側に位置する平面視略Ｕ字形のエンボス３６ｃとが形成されている。
そして、主に、前記エンボス３６ａとエンボス３６ｂとの間の、吸収体の幅方向に延びる空間、及びエンボス３６ｂとエンボス３６ｃとの間の、吸収体の幅方向に延びる空間が、それぞれ折曲誘引部３７となっている。なお、この実施の形態の場合、さらに、全体として実質的に吸収体４の幅方向に延びるエンボス３６ａ自体、及びエンボス３６ｂ及びエンボス３６ｃにおける、吸収体４の後方側に位置して該吸収体４の幅方向に延びる部分についても、それぞれが折曲誘引部となり得る。なお、前記第１の実施の形態と同様、製品としての吸収性物品１Ｃが３つに折り畳まれた状態で個別包装される際に吸収体４４につけられる折り癖部分も折曲誘引部となり得る。
【００６６】
前記導出孔３２，３３を、前記ウイング部３４，３５の基端側における前記吸収体４の長さ方向に沿う方向の長さ以上に形成したのは、前記吸収性物品１Ｃを折り畳んだ際に、コンパクト化しすぎることを抑止して、吸収体４が吸収、保持している体液が絞り出されて漏れ出ないようにするためである。
既に述べたように、前記吸収性物品の折り畳み後の大きさは、実質的に導出孔の長さ方向の長さに大きく影響を受ける。この実施の形態のような、就寝時や使用者からの経血等の体液の量が比較的多い時に使用して吸収体に多くの体液を吸収、保持させる吸収性物品の場合は、あまりにコンパクトに折り畳みを可能とすると、折り畳んだ際に吸収体が大きく変形、収縮する。そうすると、折り畳んだ際に、吸収体が吸収、保持していた体液が絞り出されてしまい、液漏れが生じる可能性がある。特に、吸収体において最も体液を吸収、保持する部分と考えられるウイング部に沿う範囲においては、体液が絞り出される可能性が高い。
【００６７】
そのため、この実施の形態の吸収性物品１Ｃにおいては、前記導出孔３２，３３を、前記ウイング部３４，３５の基端側における前記吸収体４の長さ方向に沿う方向の長さ以上に形成して、吸収体４に吸収、保持されている体液が絞り出されない程度の大きさに吸収性物品１Ｃをコンパクトに折り畳めるようにしている。
また、前記導出孔３２，３３は、少なくとも一部が、前記筒状部５，６におけるウイング部３４，３５の基端側に沿う範囲内にあり、これらのウイング部３４，３５近傍において紐状部材７，８を引っ張ることができるため、体液を多く含んだウイング部３５，３５近傍の吸収体４を、大きく変形させたり収縮させたりすることがない。したがって、吸収体４から体液が絞り出されることをより確実に防ぐことができる。
【００６８】
なお、前記本体部３１及びウイング部３４，３５、導出孔３２，３３、エンボス３６ａ〜３６ｃ、折曲誘引部３７以外の構成については、基本的に前記第１の実施の形態と同じ構成であり、同様の作用効果を奏するため、同じ符号を付して詳細な説明は省略する。
【００６９】
前記構成を有する吸収性物品１Ｃは、基本的に前記第１の実施の形態と同様の方法で折り畳むことができ、また同様の効果を得ることができる。これに加えて、前記導出孔３２，３３を、前記ウイング部３４，３５の基端側における前記吸収体４の長さ方向に沿う方向の長さ以上に形成したため、通常に比べて吸収体に多くの体液を吸収、保持させる構成の吸収性物品１Ｃであっても、吸収体４に吸収、保持されている体液が絞り出されない程度にコンパクトに折り畳むことが可能である。
【００７０】
図１４は、本発明に係る吸収性物品の第４の実施の形態を示すもので、この実施の形態の吸収性物品１Ｄは、前記第１〜第３の実施の形態とは異なり、幅方向の両端部にウイング部を有しておらず、本体部のみを備えた構成となっている。
【００７１】
即ち、前記吸収性物品１Ｄは、該吸収性物品１Ｄと略同形の平面視形状に形成された液不透過性シート４２と、該液不透過性シート４２の一面側に配設された液透過性シート４３と、これら液不透過性シート４２と液透過性シート４３との間に配設された吸収体４４と、一部が前記液透過性シート４３の幅方向の両側部をそれぞれ覆うように配設された一対のサイドシート４９，５０とを備えている。そして、前記液不透過性シート４２における液透過性シート４３が配設された面側に、吸収性物品１Ｄの折り畳みに供する左右一対の筒状部４５，４６、及び各筒状部内に各々挿通された紐状部材４７，４８がそれぞれ設けられている。
【００７２】
なお、前記液透不透過性シート４２及び一対のサイドシート４９，５０は、前記第１〜第３の実施の形態とは異なり、ウイング部に相当する部分を有しておらず、したがって、吸収性物品１Ｄの幅方向の両側部は平面視略直線状に形成されたものとなっている。
また、吸収体４４に対するエンボスについては、最も前方側及び後方側（図１４におけるもっとも上方側及び下方側）にそれぞれ位置する平面視円弧状のエンボス５３ａ，５３ａと、端部がエンボス５３ａ，５３ａにそれぞれ隣接し、一対の筒状部４５，４６の間の空間における幅方向の両側側において長さ方向に延びるエンボス５３ｂ，５３ｂと、前記エンボス５３ａ，５３ａよりも長さ方向の中央側に位置し且つ該エンボス５３ａ，５３ａよりも小径の平面視円弧状のエンボス５３ｃ，５３ｃとが形成されている。
そして、主に、前記エンボス５３aとエンボス５３ｃとの間の、吸収体４４の幅方向に延びる空間を折曲誘引部５４としている。なお、この実施の形態の場合、さらに、実質的に吸収体４４の幅方向に延びているエンボス５３ａ自体及びエンボス５３ｃ自体についても、それぞれが折曲誘引部となり得る。なお、前記第１の実施の形態と同様、製品としての吸収性物品１Ｄが３つに折り畳まれた状態で個別包装される際に吸収体４４につけられる折り癖部分も折曲誘引部となり得る。
【００７３】
前記各筒状部４５，４６の周面には、挿通されている紐状部材４７，４８を引き出すための導出孔５１，５２がそれぞれ設けられていて、この実施の形態の場合は、吸収性物品１Ｄの長さ方向の略中央部に設けられている。これらの各導出孔５１，５２は、筒状部４５，４６の長さ方向に延びる長穴状に形成されている。
なお、これらの導出孔５１，５２の長さ方向の長さについては、例えば使用者からの経血等の体液の量に合わせて予め設定され、使用者から供給される体液の量が多い場合は、大きめに設定され、逆に少ない場合は小さめにそれぞれ設定することができる。
【００７４】
前記構成を有する吸収性物品１Ｄによれば、基本的に前記第１の実施の形態と同様の効果を得ることができ、ウイング部を有していなくても、まったく問題なく簡便且つ短時間に、しかもコンパクトに折り畳むことができる。
【００７５】
前記第１〜第４の実施の形態においては、上記一対の筒状部５，６・４５，４６が不透過性シート２・４２における液透過性シート３・４３が配設された面側に配設されているが、これらの一対の筒状部は、前記不透過性シートにおける前記液透過性シートが配設された面とは反対側の面側に配設されていてもよい。また、この場合、前記一対の筒状部の導出孔は、前記不透過性シートにおける前記液透過性シートが配設された面とは反対側の面側、即ち、各筒状部が配設されている側に設けることが好ましい。
【００７６】
前記第３及び第４の実施の形態においては、一対の筒状部５，６・４５，４６に設けた各導出孔３２，３３・５１，５２が、各筒状部の、液不透過性シート２・４２における液透過性シート３・４３が配設された面側に配設されているが、各導出孔は、前記第２の実施の形態のように、不透過性シートにおける前記液透過性シートが配設された面とは反対側の面側に配設されていてもよい。
【００７７】
前記第１〜第３の実施の形態においては、導出孔２１，２２・２５，２６・３２，３３は、その少なくとも一部が、筒状部５，６におけるウイング部１２，１３・３４，３５の基端側に沿う範囲に形成されているが、導出孔の位置については必ずしもウイング部の位置と関連付けて設定する必要はない。ただし、この導出孔の配設位置については、吸収体において体液が多量に含まれている部分に大きな変形が生じるような位置に設けないようにして、吸収性物品の折り畳みの際に、吸収体が吸収、保持している体液が絞り出されないようにすることが好ましい。
【００７８】
また、前記第１及び第２、第４の実施の形態の場合、各導出孔２１，２２・２５，２６・５１，５２は、実質的に吸収性物品の長さ方向の略中央部に位置しているが、各導出孔の位置は必ずしも吸収性物品の長さ方向の略中央部でなくてもよく、任意の位置に設けることができる。ただし、導出孔が吸収性物品の長さ方向の略中央部からずれた位置に設けられた場合、吸収性物品を完全に折り畳む際に紐状部材を導出孔から引き出す長さが延びる可能性があるため、導出孔の位置に配設位置については、折り畳み時の簡便さも考慮して決定することが肝要である。
【００７９】
前記第２及び第３の実施の形態においては、吸収性物品１Ｂ，１Ｃは、幅方向の両側部に、各側部からそれぞれ外方に延出するウイング部１２，１３・３４，３５を備えた構成となっているが、このウイング部は必ずしも設ける必要はない。
【００８０】
前記第１〜第４の実施の形態においては、吸収体４・４４が、前方領域１８と中央領域１７と後方領域１９とが長さ方向に連続して設けられた構成となっていて、これらの領域のうちの中央領域１７が他の領域１８，１９よりも曲げ剛性が高く形成されたものとなっている。しかしながら、吸収体全体の曲げ剛性が高く、吸収性物品の折り畳み時に中央領域がよれないような場合等においては、中央領域の曲げ剛性を特別に高く形成する必要はない。
【００８１】
また、前記第１〜第４の実施の形態においては、前記吸収体４・４４は、該吸収体４・４４の長さ方向への折れ曲がりを誘引する、幅方向に延びる折曲誘引部２３，３７，５４を有しているが、吸収性物品をスムーズに折り畳むことができる場合には、必ずしもこの折曲誘引部を設ける必要はない。
【００８２】
さらに、前記第１〜第４の実施の形態では、折曲誘引部２３，３７，５４は、液透過性シート２，４２及び吸収体４，４４の両方にエンボス加工して、エンボスが設けられている部分と設けられていない部分との剛性の違いを利用して吸収体の折曲を誘引するようになっている。
しかしながら、折曲誘引部は、吸収体だけにエンボス加工を施して、エンボスが設けられている部分と設けられていない部分との剛性に差を利用して折曲を誘引するものであってもよい。あるいは、吸収体の長さ方向に向けて、該吸収体の繊維の目付量の大きい領域と小さい領域とを連続的に配置し、これによって吸収体に剛性の大きい部分と小さい部分とを並設させた構成とすることにより、その剛性の差を利用した吸収体の折曲の誘引が行える構成とすることができる。
【００８３】
さらに、前記第１〜第４の実施の形態の場合、吸収性物品１Ａ〜１Ｄが全体として平坦な形状となっているが、液不透過性シートにおける液透過性シートが配設された面側に、吸収体の幅方向の両側に沿って該吸収体の長さ方向に延びる、体液の横漏れ防止用の防漏壁が立設された構成であってもよい。この場合、前記筒状部は、防漏壁の前記吸収体とは反対側の壁面に沿うように設けることが好ましい。
【００８４】
また、前記第１〜第４の実施の形態においては、一対の筒状部５，６・４５，４６はサイドシート９，１０・４９，５０の一部分を利用して該サイドシート９，１０・４９，５０と一体に形成されているが、一対の筒状部はサイドシートと別体に形成してもよい。
なお、前記一対の筒状部をサイドシートにより形成した場合、該サイドシートが疎水性又は撥水性を有するときには、これらの一対の筒状部、さらには紐状部材が使用者から排泄された体液で濡れることを防ぐことができる。したがって、この場合には、吸収性物品を使用後に折り畳む際に、手を汚すことなく紐状部材の操作を行うことができるという利点がある。
【００８５】
さらに、前記第１〜第４の実施の形態では、一対の筒状部５，６・４５，４６はサイドシート９，１０・４９，５０の一部分を筒状とすることにより形成されているが、例えば図１５に示すように、液透過性シートの一部を利用して一対の筒状部を形成してもよい。
図１５に示す吸収性物品１Ｅは、液透過性シート６３の幅方向の両端部を筒状に形成して一対の筒状部６５，６６とした上で、各筒状部６５，６６に、紐状部材７，８を該筒状部６５，６６の外部に導出するための導出孔７１，７２をそれぞれ設けた構成となっている。具体的に、図１５に示すものの場合、前記液透過性シート６３の幅方向の両端部を下方に折り曲げて筒状とすると共に、この折り曲げた部分における幅方向の吸収体４側の端部側をサイドシート６９，７０と一緒にエンボス加工して、その該端部側を吸収性物品の長さ方向に向かって接合する接合部７３，７４とすることにより、前記一対の筒状部６５，６６を形成している。
このとき、前記接合部７３，７４は、前記液透過性シート６３の幅方向の両端部における下方に折り曲げた部分を確実に接合することができれば、ホットメルト型接着剤等を用いた接着剤による接合であってもよい。
なお、この図１５に示す吸収性物品おいて、サイドシートではなく、液透過性シートの両端部を用いて一対の筒状部を形成した点以外の構成は、前記第１の実施の形態と同じ構成であり、同様の作用効果を奏するため、該第１実施の形態と同様の符号を付して、詳細な説明は省略する。
【００８６】
前記第１の実施の形態では、紐状部材７，８の両端部の筒状部５，６への固定に関して、紐状部材７，８を筒状部５，６にホットメルト型接着剤による接着によって行う直接的な固定と、シール部２０による固定との２つの方法を併用して固定を行っている例を説明している。しかしながら、紐状部材の両端部の筒状部への固定は、該紐状部材の両端部を筒状部にしっかりと固定することができれば、任意の単一の方法による固定であっても、あるいは任意の３つ以上の方法を併用した固定であってもよい。
【００８７】
前記第１〜第４の実施の形態においては、吸収性物品として生理用ナプキンを用いた場合について説明しているが、本発明の吸収性物品としては、生理用ナプキンの他に、おりものシートや使い捨ての紙オムツ、失禁パット等であってもよい。
【符号の説明】
【００８８】
１Ａ〜１Ｅ    吸収性物品
２，４２    液不透過性シート
３，４３，６３    液透過性シート
４，４４    吸収体
５，６，４５，４６，６５，６６    筒状部
７，８，４７，４８    紐状部材
１２，１３，３４，３５    ウイング部
１７    中央領域
１８    前方領域
１９    後方領域
２１，２２，２５，２６，３２，３３，５１，５２，７１，７２    導出孔
２３，３７，５４    折曲誘引部
【図１】
2014233603.tif 000003
【図２】
2014233603.tif 000004
【図３】
2014233603.tif 000005
【図４】
2014233603.tif 000006
【図５】
2014233603.tif 000007
【図６】
2014233603.tif 000008
【図７】
2014233603.tif 000009
【図８】
2014233603.tif 000010
【図９】
2014233603.tif 000011
【図１０】
2014233603.tif 000012
【図１１】
2014233603.tif 000013
【図１２】
2014233603.tif 000014
【図１３】
2014233603.tif 000015
【図１４】
2014233603.tif 000016
【図１５】
2014233603.tif 000017